(57)【要約】【課題】  本発明は、給気口用エアフィルタを破損させることなく、給気口の内部に給気口用エアフィルタを取り付けることの可能な給気口用エアフィルタの取付ガイド、それを用いた給気口用エアフィルタの取付方法及び取付ガイドを用いた給気口用エアフィルタの梱包体を提供することを目的とする。【解決手段】  本発明の給気口用エアフィルタの取付ガイドは、建物の壁等に穿孔された給気口内に、給気口用エアフィルタを取り付けるための取付ガイドであって、台紙の中央部に折り曲げられる紙片が形成されるように切り込み部及び／又は切り欠き部を設け、前記切り込み部及び／又は切り欠き部によって形成された紙片を折り曲げることで形成される開口を、前記給気口と略同一以上の大きさとなるようにするとともに、折り曲げられた部分を前記給気口の内部まで挿入可能にし、当該部分をガイドにして前記給気口用エアフィルタを前記給気口に取付可能となるように構成したことを特徴とする。【選択図】  図１
2006207981.tif 000002
【特許請求の範囲】
【請求項１】
建物の壁等に穿孔された給気口内に、給気口用エアフィルタを取り付けるための取付ガイドであって、台紙の中央部に折り曲げられる紙片が形成されるように切り込み部及び／又は切り欠き部を設け、前記切り込み部及び／又は切り欠き部によって形成された紙片を折り曲げることで形成される開口を、前記給気口と略同一以上の大きさとなるようにするとともに、折り曲げられた部分を前記給気口の内部まで挿入可能にし、当該部分をガイドにして前記給気口用エアフィルタを前記給気口に取付可能となるように構成したことを特徴とする給気口用エアフィルタの取付ガイド。
【請求項２】
前記切り込み部及び／又は切り欠き部を、台紙の中央部から外方に向かって放射線状に複数設けたことを特徴とする請求項１記載の給気口用エアフィルタの取付ガイド。
【請求項３】
前記切り込み部及び／又は切り欠き部の中心部に、穴部を設けたことを特徴とする請求項１又は２記載の給気口用エアフィルタの取付ガイド。
【請求項４】
請求項１乃至３のいずれかに記載の取付ガイドを用いて、前記切り込み部及び／又は切り欠き部によって分割された紙片を折り曲げて、建物の壁等に設けられた給気口の内部まで挿入し、前記紙片を折り曲げることで形成された開口から、給気口用エアフィルタを、給気口内に挿入することを特徴とする給気口用エアフィルタの取付方法。
【請求項５】
請求項１乃至３のいずれかに記載の取付ガイドの開口内に給気口用エアフィルタを装入し、前記給気口用エアフィルタを前記取付ガイドとともに箱体内に梱包したことを特徴とする給気口用エアフィルタの梱包体。
【発明の詳細な説明】
【技術分野】
【０００１】
本発明は、戸建住宅及びマンション等の集合住宅の壁面等に形成された給気口内に取り付ける給気口用エアフィルタを、給気口内に取り付け易くするための給気口用エアフィルタの取付ガイド、それを用いた給気口用エアフィルタの取付方法及び給気口用エアフィルタの梱包体に関する。
【背景技術】
【０００２】
近年、住宅環境の向上を目的として建築基準法が改正され、付設面積に対して一定の基準を満たす給気口を建築物の壁面に設けることや、特殊建築物に一定基準の換気設備を設けることが要求されている。給気口には、外気中に含まれる花粉や排気ガスを高効率で除去するために、濾材を備えたエアフィルタを設けることが必要となっている。
【０００３】
このようなエアフィルタとして、例えば、特許文献１には、給気口内に装着可能となるように、給気口の形状に合わせた円筒部からなるケーシング内に平板状の濾材を収容したエアフィルタが開示されている。
また、特許文献２には、ガーゼ等の平板状の濾材を給気口よりも大きい面積に加工し、この濾材の周囲に接着剤を塗布して、給気口の周囲の壁に、前記濾材を接着可能とした使い捨て型のエアフィルタが開示されている。
【０００４】
特許文献１及び２に開示されているような、平板状の濾材を用いたエアフィルタは、厚さが薄いため通気抵抗が低いという利点を有する。しかしながら、前記エアフィルタは、濾材面積が少ないために、粉塵保持量が少なく、フィルタ寿命が短いという問題があった。一方、粉塵保持量を上げるために、濾材を厚くしたエアフィルタを用いた場合は、通気抵抗が高くなるという問題があった。
【０００５】
通気抵抗を高くせずに粉塵保持量を上げるためには、給気口に取り付ける濾材の面積を拡大することが考えられる。そこで、例えば、特許文献３には、円筒状の上部ケーシングと下部ケーシングとの間にジグザグ状に濾材を挟持して、濾材面積を拡大したエアフィルタが開示されている。このエアフィルタは、図５に示すように、給気口に挿入される円筒状の上部ケーシング２６の円周上の対向する部分に、上部クシ歯状突起部２７を設け、下部ケーシング２８の円周上の対向する部分に、上部クシ歯状突起部２７と噛み合う下部クシ歯状突起部２９を設け、円周上で対向している一対の下部クシ歯状突起部の間に橋掛け支持部３０を設け、上部ケーシング２６の上部クシ歯状突起部２７と、下部ケーシング２８の下部クシ歯状突起部２９及び橋掛け支持部３０との間で、ジグザグ状に折った円形状の濾材３１を挟持する構成となっている。
【特許文献１】実開平６−３０３９２号公報
【特許文献２】登録実用新案第３０６２８１４号公報
【特許文献３】特許第３１４３８７９号公報
【発明の開示】
【発明が解決しようとする課題】
【０００６】
例えば、特許文献３に開示されているように、濾材をジグザグ状又はプリーツ状に折り畳んで濾材面積を拡大することは、一般的に行われている。
ところで、図６に示すように、給気口１５は、例えば、建物を構成するコンクリート壁１６に穿孔された円形状の貫通孔である。給気口１５の内周面には、給気口用内壁１５ａが設けられ、コンクリート壁１６の室内側表面には、室内側用下地材１７、接着剤１８、パネル１９及び壁紙２０等からなる複数の内装材が積層されている。また、コンクリート壁１６の室外側表面には、室外側下地材２１及び外壁材２２等からなる複数の外装材が設けられている。また、給気口１５の室外側には、給気口用フード２３が設けられている。
この場合、給気口１５の挿入部分は、室内側用下地材１７、接着剤１８、パネル１９、壁紙２０等からなる内装材の端部が揃わず、段差が形成されてしまっていることがある。また、これらの内装材の端面と給気口用内壁１５ａの上面が揃わず、段差が形成されてしまっていることがある。このような給気口１５の内部に、給気口１５の大きさとほぼ同一の大きさの給気口用エアフィルタ１０を挿入し、給気口用エアフィルタ１０の外周を給気口１５の内周面に密接させて、給気口用エアフィルタ１０を取り付ける場合がある。
【０００７】
例えば、特許文献１及び３に開示されているエアフィルタのように、濾材がケーシング内に保持されている場合は、給気口の挿入部分の段差にエアフィルタが引っかかっても破損等を生じることはない。しかしながら、強固なケーシングを採用していない、壊れやすいエアフィルタを給気口の内部に取り付ける場合、給気口の挿入部分の段差に、エアフィルタを引っかけたり、エアフィルタと給気口用内壁との摩擦によって、エアフィルタが破損してしまう場合があった。
そこで、本発明は、給気口用エアフィルタを破損させることなく、給気口の内部に給気口用エアフィルタを取り付けることの可能な給気口用エアフィルタの取付ガイド、それを用いた給気口用エアフィルタの取付方法及び取付ガイドを用いた給気口用エアフィルタの梱包体を提供することを目的とする。
【課題を解決するための手段】
【０００８】
本発明の給気口用エアフィルタの取付ガイドは、前記目的を達成するべく、請求項１に記載の通り、建物の壁等に穿孔された給気口内に、給気口用エアフィルタを取り付けるための取付ガイドであって、台紙の中央部に折り曲げられる紙片が形成されるように切り込み部及び／又は切り欠き部を設け、前記切り込み部及び／又は切り欠き部によって形成された紙片を折り曲げることで形成される開口を、前記給気口と略同一以上の大きさとなるようにするとともに、折り曲げられた部分を前記給気口の内部まで挿入可能にし、当該部分をガイドにして前記給気口用エアフィルタを前記給気口に取付可能となるように構成したことを特徴とする。
また、請求項２記載の取付ガイドは、請求項１記載の取付ガイドにおいて、前記切り込み部及び／又は切り欠き部を、台紙の中央部から外方に向かって放射線状に複数設けたことを特徴とする。
また、請求項３記載の取付ガイドは、請求項１又は２記載の取付ガイドにおいて、前記切り込み部及び／又は切り欠き部の中心部に、穴部を設けたことを特徴とする。
また、本発明の給気口用エアフィルタの取付方法は、前記目的を達成するべく、請求項４記載の通り、請求項１乃至３のいずれかに記載の取付ガイドを用いて、前記切り込み部及び／又は切り欠き部によって分割された紙片を折り曲げて、建物の壁等に設けられた給気口の内部まで挿入し、前記紙片を折り曲げることで形成された開口から、給気口用エアフィルタを、給気口内に挿入することを特徴とする。
また、本発明の給気口用エアフィルタの梱包体は、請求項５記載の通り、請求項１乃至３のいずれかに記載の取付ガイドの開口内に給気口用エアフィルタを装入し、前記給気口用エアフィルタを前記取付ガイドとともに箱体内に梱包したことを特徴とする。
【発明の効果】
【０００９】
本発明の給気口用エアフィルタの取付ガイドによれば、台紙に設けた切り込み部及び／又は切り欠き部によって形成された折り曲げ可能な紙片を折り曲げて、この折り曲げられた部分を給気口の内部に挿入し、折り曲げられた部分をガイドにして、給気口用エアフィルタを給気口の内部まで挿入することができる。このため、給気口の挿入部分に段差があったりしても、給気口用エアフィルタを引っかけたりして破損することなく、給気口用エアフィルタを給気口の内部に取り付けることができる。
また、本発明の取付ガイドは、給気口用エアフィルタを取り付ける際に、台紙に設けた切り込み部及び／又は切り欠き部によって分割された紙片を折り曲げるだけでよいため、輸送及び保管時には、台紙を平板状のまま重ねておくことができ、スペースをとらないという利点がある。
また、本発明の給気口用エアフィルタの取付方法によれば、給気口内に折り曲げられた紙片によって、給気口が紙片の厚み分小さくなるため、給気口の内周と同一の大きさに形成された給気口用エアフィルタは、紙片の厚み分若干押圧された状態で、折り曲げられた紙片に沿って、前記エアフィルタが給気口内に挿入される。前記エアフィルタが、取付ガイドの開口を貫通して、給気口の内部に取り付けられる際に、押圧されていた分若干外方へ広がって、給気口用エアフィルタの外周と給気口の内周面とを密接させて、給気口用エアフィルタを給気口の内部に取り付けることができる。
また、本発明の給気口用エアフィルタの梱包体によれば、台紙に設けた切り込み部及び／又は切り欠き部によって分割された紙片を折り曲げることによって形成された開口に、給気口用エアフィルタを装入した状態で、取付ガイドとともに給気口用エアフィルタが箱体内に梱包されているため、前記取付ガイドがクッション材となり、給気口用エアフィルタを破損させることなく、輸送等を行うことができる。
【発明を実施するための最良の形態】
【００１０】
本発明の一実施の形態を図面に基づき説明する。図１は、取付ガイドを示し、（ａ）は、切り込み部４によって分割された紙片５を折り曲げる前の状態を示す図であり、（ｂ）は、切り込み部４によって分割された紙片５を折り曲げた後の状態を示す斜視図である。図１（ａ）に示すように、台紙２には、外方に向かって放射線状に切り込み部４が形成され、前記切り込み部４の中心部に円形状の穴部３が形成されている。図１（ｂ）に示すように、切り込み部４によって分割された紙片５を、折り曲げることによって、給気口と略同一の大きさとなる開口６を形成する。折り曲げられた紙片５は、当該部分を給気口の内部まで挿入した際に、開口６から挿入される給気口用エアフィルタのガイドとなる。すなわち、給気口と略同一の大きさに形成された給気口用エアフィルタは、開口６から、折り曲げられた紙片５に沿って、給気口の内部まで挿入され、給気口用内壁に、給気口用エアフィルタの外周を圧接させて取り付けられる。尚、本実施の形態において、取付ガイド１は、切り込み部４の中心部に穴部３を形成したが、穴部３を形成することなく、台紙２の中央部から外方に向けて放射線状に複数の切り込み部を形成すれば、紙片５を折り曲げることによって形成される開口が、多角形状から略円形状になるため、好ましい。また、例えば、台紙の中央部にＬ字状に切り込み部を形成し、この切り込み部よって形成された折り曲げ可能な紙片を、給気口の内部に挿入してガイドとしてもよい。また、切り込み部４の代わりに、楔状又は矩形状等の切り欠き部を形成してもよい。
台紙１は、通常のダンボール、厚手紙等を使用することができる。軽量で折り曲げた際に保形性があり、簡単に裁断できるとともに、折り曲げ可能であるものであれば、紙以外のものを台紙として、使用してもよい。
また、取付ガイド１の四角形状の台紙２には、四隅を斜めに切り欠いた切り欠き部７を設けている。
【００１１】
図２は給気口用エアフィルタの一例を示す斜視図である。
図２に示すように、給気口用エアフィルタ１０は、濾材をジグザグ状に折り畳み、ジグザグ状となっている一方の端面を中心として、中心から外方に向けてジグザグ状の折り山間隔が広がっていくように円形状に形成し、直線状の端部と端部をステープル等で固定した菊花状濾材１１と、この菊花状濾材１１の周囲に設けた円筒状濾材１４から構成されている。菊花状濾材１１の中心には、円筒状の中心軸１２を挿入している。また、菊花状濾材１１から突出している中心軸１２の上下には、中心軸１２を通って、菊花状濾材１１を直径方向から保持する帯状の補強材１３を設けている。この補強材１３は、菊花状濾材１１の周囲の一端部から中心軸１２を通って、菊花状濾材１１の直径方向に帯状の補強材１３が掛け渡され、そのまま菊花状濾材１２の周囲を一周させて、補強材１３の端部同士をステープル等で固定している。また、帯状の補強材１３の上から、菊花状濾材１１の周囲に円筒状濾材１４を設けている。尚、中心軸１２の周面には、図示しない溝部が形成され、帯状の補強材１３を溝部に挿入して、補強材が上下方向に移動しないようにしている。
この給気口用エアフィルタ１０は、建物の壁に穿孔された給気口の内周面に、円筒状濾材１４を密接させて取り付けられる。
【００１２】
前記菊花状濾材１１としては、花粉、排気ガス等を捕集でき、ジグザグ状に折り畳んだ後に菊花状に形成可能である不織布製の濾材を使用することができる。住宅等の給気口用エアフィルタとして用いるため、ホルムアルデヒド等のＶＯＣ（Ｖｏｌａｔｉｌｅ  Ｏｒｇａｎｉｃ  Ｃｏｍｐｏｕｎｄｓ、揮発性有機化合物）を発生しない濾材を用いることが好ましい。
また、円筒状濾材１４としては、花粉、排気ガス等を捕集できるものには限定されないが、給気口に密接可能となるように、若干圧縮された後復元可能となるような柔軟性を有する不織布製の濾材を用いることが好ましい。
また、前記中心軸１２は、塩化ビニル製の発泡体を使用することができる。しかしながら、塩化ビニル製の発泡体に限らず、軽量で保形性があり、簡単に溝を形成することができるものであれば、特に材質は限定されない。前記補強材１３は、通常のダンボール、厚手紙等の紙を使用することができ、その他、軽量で折り曲げた際に保形性があり、簡単に裁断できるものを使用することができる。
【００１３】
尚、図２では、給気口用エアフィルタ１０として、菊花状濾材１１を用いたものを示したが、給気口用エアフィルタ１０は、菊花状濾材１１を用いたものに限らず、高密度な不織布であるフェルト状濾材若しくは低密度な不織布であるマット状濾材からなる平板状の給気口用エアフィルタ、又は、前記フェルト状濾材若しくはマット状濾材を複数積層して所定の厚みとした平板状の給気口用エアフィルタであってもよい。
【００１４】
次に、本発明の取付ガイド１を用いた給気口用エアフィルタの取り付け方法について説明する。図３は、建物を構成するコンクリート壁１６に穿設され、内周面に給気口用内壁１５ａが設けられた給気口１５に、取付ガイド１を用いて給気口用エアフィルタ１０を取り付ける状態を示す説明図である。
コンクリート壁１６の一方の面には、室内側下地材１７、接着剤１８、パネル１９、壁紙２０がこの順番で積層されている。また、コンクリート壁１６の室外側表面には、室外側下地材２１、外壁材２２が設けられている。また、給気口１５の室外側には、給気口用フード２３が設けられている。
コンクリート壁１６に設けられた給気口１５の挿入部分は、室内側下地材１７、接着剤１８、パネル１９、壁紙２０等の内装材の端面が揃っておらず、段差がある状態となっている。また、内装材の端面と給気口用内壁１５ａの上面も揃っておらず、段差がある状態となっている。
給気口用エアフィルタ１０を給気口１５の内部に取り付ける際に、取付ガイド１を壁面にあて、切り込み部４によって分割された紙片５を、給気口１５の内部に挿入するように折り曲げて、折り曲げられた部分を、室内側下地材１７、接着剤１８、パネル１９、壁紙２０等の内装材上を越えて、給気口用内壁１５ａまで到達させる。給気口用エアフィルタ１０を、取付ガイド１の開口６から給気口１５の内部に挿入すると、折り曲げられた紙片５によって給気口用エアフィルタ１０がガイドされ、給気口用エアフィルタ１０を段差に引っかけることなく、給気口１５の内部に取り付けることができる。
また、給気口用エアフィルタ１０は、給気口１５の内部に挿入された紙片５によって、円筒状濾材１４が、若干押圧された状態で、給気口１５の内部まで挿入される。このため、給気口用エアフィルタ１０が紙片５から離れると、給気口１５内で、押圧されていた円筒状濾材１４が若干外周方向に広がるため、給気口用内壁１５ａに円筒状濾材１４を密接させて取り付けることができる。尚、給気口用エアフィルタ１０を給気口に取り付けた後は、取付ガイド１は、廃棄すればよい。
【００１５】
次に、本発明の取付ガイド１を用いた給気口用エアフィルタの梱包体２５について説明する。取付ガイド１の切り込み部４によって分割された紙片５を折り曲げることによって形成された開口６に、給気口用エアフィルタ１０を装入する。そして、台紙２の四隅に設けた切り欠き部７によって形成された切り欠き残部を折り曲げて、支持片８を形成する。支持片８を形成した台紙２を内接させることができる大きさの箱体２４内に、給気口用エアフィルタ１０を取付ガイド１とともに箱体２４内に梱包する。箱体２４内にされた給気口用エアフィルタ１０は、取付ガイド１がクッション材となり、折り曲げられた紙片５及び支持片８によって箱体２４内で移動することのないように安定に固定される。このため、輸送中の振動によって、給気口用エアフィルタ１０が箱体２４内で移動して破損することがない。
【図面の簡単な説明】
【００１６】
【図１】本発明の取付ガイドを示し、（ａ）は切り込み部４によって分割された紙片５を折り曲げる前の状態を示す図、（ｂ）は切り込み部４によって分割された紙片５を折り曲げた後の状態を示す斜視図
【図２】給気口用エアフィルタの斜視図
【図３】本発明の取付ガイドを用いて給気口用エアフィルタを給気口に取り付ける状態を示す説明図
【図４】本発明の取付ガイドを用いた給気口用エアフィルタの梱包体を示す斜視図
【図５】従来の給気口用エアフィルタの分解斜視図
【図６】従来の給気口用エアフィルタを給気口に取り付ける状態を示す説明図
【符号の説明】
【００１７】
１      取付ガイド
２      台紙
３      穴部
４      切り込み部
５      紙片
６      開口
７      切り欠き部
８      支持片
１０    給気口用エアフィルタ
１１    菊花状濾材
１２    中心軸
１３    補強材
１４    円筒状濾材
１５    給気口
１５ａ  給気口用内壁
１６    コンクリート壁
１７    室内側下地材
１８    接着剤
１９    パネル
２０    壁紙
２１    室外側下地材
２２    外壁材
２３    給気口用フード
２４    箱体
２５    給気口用エアフィルタの梱包体
２６    上部ケーシング
２７    上部クシ歯状突起部
２８    下部ケーシング
２９    下部クシ歯状突起部
３０    橋掛け支持部
３１    ジグザグ状に折った円形状の濾材
【図１】
2006207981.tif 000003
【図２】
2006207981.tif 000004
【図３】
2006207981.tif 000005
【図４】
2006207981.tif 000006
【図５】
2006207981.tif 000007
【図６】
2006207981.tif 000008